(57)【要約】　　　（修正有）【課題】設置コスト、人件費、緊急性の面で改善を施した独居老人管理システムを提供する。【解決の手段】人体異常感知センサー、防犯警報センサー、温度センサーをコントロールシステムＣＮ−１で一括する事によりコストの低減を計り、カメラの動作制御も警報信号入力時のみとすることでプライバシーの保護をほどこした。又警報装置が全国何処に設置されても集中管理センター一カ所で管理できることから大幅な経費削減が可能である。管理者担当Ｐ−２はそのモニター映像を見ることで、契約者氏名，住所、警報の種類、緊急性を認識し、関係各所に速やかで且つ的確な通報、指示等の対応ができる。【選択図】図１
2004030149.tif 000002
【特許請求の範囲】
【請求項１】
複数個設置した警報センサーに個別の警報周波数を与えその位置を予め登録し、全方位旋回自由なカメラを警報信号により自動的に作動させることで、警報を発した場所の映像を確実に撮影し、その警報種類と映像データをインターネットを介し登録サーバーへ送信する管理システムである。
【請求項２】
本警報装置設置者のプライバシー保護の観点から映像データの送信は警報受信時のみ作動させ、その映像データの送信もコントロールシステム内の自動映像データ変換送信システムから登録サーバーへの一方向とすることで登録サーバーへ不法侵入してもカメラを操作できない管理システムである。
【発明の詳細な説明】
【０００１】
【発明の属する技術分野】
本発明は防犯、防災、人体異常をインターネットで、映像を用い一元的に管理する管理システムに属するものである。
【０００２】
【従来の技術】
従来は人体異常の管理は本人がボタンスィッチを直接押す方法や近年、日常生活動線の異常を検知し、電話回線にて自動通報する装置が販売されている。
【０００３】火災、防犯警報は契約管理会社へ電話回線を用い自動通報され、３０分以内に警備員が駆けつけるシステムが一般的に普及している。又無線、有線を用い映像で管理するシステムはあるが莫大な経費を要す。
【０００４】
【発明が解決しようとする課題】
高齢化社会を迎え寝たきり老人の介護にかかるコスト、介護者の不足が社会問題化している。特に負担となる夜間のケアの無人化により前述の問題の低減を図るべく人体異常、防犯、火災警報を設置することで、解決しようとした。しかし、個々のシステムによる構築は警報種類、設置コストの面、人件費の面、緊急性の面で問題点を有している。
【０００５】
従来技術の人体異常管理の本人が非常ボタンを直接押す方法は最も確実で、安価であるが本人の意識が明瞭で、且つボタンを押す運動能力を有し、会話能力があるとの前提条件が必要で、その条件を満たさない人には対応できない。
【０００６】
又、人体異常管理の日常生活動線から異常を検出し、通報する方法は確度の面と、判定に要する時間が数時間と非常に大きいため、緊急性の面で問題を有す。
【０００７】
火災、防犯警報の技術は電話回線により、管理会社へ自動通報され、担当警備員が現場へ派遣されるシステムが一般的であるが、コストの面と派遣に要する時間が緊急対応性を阻害しているとの問題を有している。
【０００８】
近年インターネットを介し映像を用いた防犯システムも紹介されているが、居住空間の防犯システムとしてはプライバシーの侵害問題が否めない。又、設置、管理コストの大きさも問題となっている。
【０００９】
本発明は上述の点に鑑みてなされたもので、人体異常、防犯、火災警報を共通のコントロールシステムで一括管理することでソフト開発費、生産コスト、設置費を低減し、設置場所にかかわらず、一箇所でしかも警報種類と同時に映像で集中管理するため、警備員を派遣する経費と緊急時に対応する時間を大幅に削減できる。又映像管理の手法を用いるが、警報発生時のみカメラが自動的に作動し、警報を発した箇所の映像を送信するシステムであるため集中管理センターでさえカメラをコントロールできない。
【００１０】
【課題を解決するための手段】
人の手首等にとりつけられた人体異常感知センサーＳ２−１は行動範囲の制約を除去するため無線信号とし、防犯警報センサーＳ１−１、Ｓ１−２、Ｓ１−３も煩雑な配線工事を省くと同時に位置特定を図るため個々に異なる周波数を割り当てた無線信号をもちいた。コントロールボックスＣＮ−１は人体異常センサー、防犯警報センサーの異常無線信号受信時カメラＣ−１電源を自動的にＯＮし、予め記憶された異常個所にカメラを向け撮影し、画像をデータ変換しインターネットを介し管理場所の登録サーバーへ送信する。火災警報はコントロールボックスによりカメラ方向制御雲台Ｂ−１に固定された温度センサーＳ３−１にて、数分おきにスキャンし異常温度上昇個所を火災と判断した場合警報とし、同様に画像データをサーバーＷＳ−１へ送信する。又、集中管理センターＲ−２ではウェブサーバーＷＳ−１を設置し、警報信号がサーバーで受信されると端末コンピューターＭ−１を介し管理担当者Ｐ−２のディスプレイＤＰ−１に自動的に映像化され、管理者担当Ｐ−２はそのモニター映像を見ることで、契約者氏名，住所、警報の種類、緊急性を認識し、関係各所に速やかで且つ的確な通報、指示等の対応が可能となる。
【００１１】
【発明実施の形態】
図１は本発明に係わる独居老人管理システムの構成図で、この図をもちいて実施形態の説明を行う。
【００１２】
図１に於いて、居住空間Ｒ−１の扉部Ｄ−１、窓部Ｗ−１等犯罪者の侵入可能場所に設置された不法侵入監視センサーＳ１−１、Ｓ１−２，Ｓ１−３で不法に侵入した場合、個々に割り当てられた周波数の無線警報を発する。
【００１３】
図１に於いて、人体異常感知センサーＳ２−１は寝たきり老人Ｐ−１の手首もしくは足首等へ固定し、体温、脈拍、血圧の監視を自動的、数分間の周期的に計測し、設定異常値を超えた場合割り当てられた他と別の周波数の無線警報を発する。
【００１４】
図１に於いて、温度センサーＳ３−１はカメラ方向制御雲台Ｂ−１にカメラＣ−１と同方向に固定され（取り付けは図２参照）、自動的に数分周期で居住空間Ｒ−１の数十分割されたエリアをスキャンし、各エリアの温度を計測しコントロールシステムＣＮ−１へデータを送る。
【００１５】
図１に於いてコントロールシステムＣＮ−１には不法侵入監視センサーＳ１−１、Ｓ１−２、Ｓ１−３、人体異常感知センサーＳ２−１の位置をティーチングにより記憶させておき、警報を発信したセンサーの位置にカメラ方向制御雲台Ｂ−１を制御し雲台に固定されたカメラＣ−１を旋回させ撮影する。又、温度センサーＳ３−１を制御しエリアごとに温度を計測しデータを蓄積する。この動作を数分間隔で繰り返すことで新たなデータと比較し、異常値と判定した場合火災警報とし、異常を示したエリアにカメラＣ−１を旋回させ撮影する。コントロールシステムＣＮ−１が警報を受信、判定した場合、自動的に警報箇所にカメラを旋回させ、撮影を開始する。同時に映像データを変換し、サーバーＷＳ−１へデータを送信する。プライバシー保護の観点から、外部の信号でカメラの姿勢方向制御、動作制御が出来ない構造とした。
【００１６】
集中管理センターＲ−２内に充分な保護を施され、充分同時受信可能なウェブサーバーＷＳ−１を設置する。ウェブサーバーＷＳ−１はインターネットを介し送られた警報と映像を充分な台数の端末コンピューターＭ−１に接続され、自動的に通信の空いている端末コンピューターにその警報情報と映像と登録済みデータを配信する。
【００１７】
ウェブサーバーＷＳ−１よりデータを受信した端末コンピューターＭ−１はそのデータを自動的に保存しながら映像をディスプレイＤＰ−１に表示し、その管理担当者Ｐ−２はそのディスプレイＤＰ−１により警報発生場所、氏名，年齢、性別、日時、警報種類とその映像を確認できる。
【００１８】
管理担当者Ｐ−２はディスプレイＤＰ−１に表示される情報と映像からその警報種類、緊急性を容易に判断でき、予め登録されている警報種類別通報先へ必要に応じ、映像付メール、又は電話により通報する。
【００１９】
【発明の効果】
以上のことから明らかなように、請求項１記載の発明によれば、警報が発生された場合のみカメラが作動し、又１台のカメラで警報が発せられた場所の映像を確実に撮影し、その警報種類と映像データをインターネットを介し登録サーバーへ送信できる。
【００２０】
請求項２記載の発明によれば、インターネット利用時のウェブサーバーの不法侵入によるプライバシー侵害問題があげられるが、平常時の映像データは外部から制御することを物理的に不可能とすることで設置者のプライバシーは完全に保護される。
【００２１】
又本発明によれば派遣警備員を置かずに、全国何処に設置されても一箇所で管理するシステムであるため、設置地域別に拠点を設け派遣警備員の常駐施設を必要とせず、それに要す人件費、施設費、及その諸経費等を削減できる。又管理上最優先項目である緊急対応性においても派遣警備員が現場に出向くのに要する無駄な時間を省くことで飛躍的に向上する。
【００２２】
本発明によれば管理担当者の映像による目視確認後の通報であるため、通常は禁止される防犯警報時の最寄警察署への自動通報、火災警報時の最寄消防署への自動通報の時間的に僅少差の合法的代替となり得ることで緊急対応性を著しく向上させる。
【図面の簡単な説明】
【図１】本装置構成図面である。
【図２】カメラ、温度センサー構成図面である。
【符号の説明】
Ｂ−１　カメラ方向制御雲台
Ｃ−１　カメラ
ＣＮ−１　コントロールシステム
Ｄ−１　入口
ＤＰ−１　ディスプレイ
Ｌ−１　光源
Ｍ−１　端末コンピューター
Ｐ−１　独居老人
Ｐ−２　管理担当者
Ｒ−１　居住空間
Ｒ−２　集中管理センター
Ｓ１−１　不法侵入監視センサー
Ｓ１−２　不法侵入監視センサー
Ｓ１−３　不法侵入監視センサー
Ｓ２−１　人体異常感知センサー
Ｓ３−１　温度センサー
Ｗ−１　窓
ＷＳ−１　ウェブサーバー
【図１】
2004030149.tif 000003
【図２】
2004030149.tif 000004